(57)【要約】【課題】本発明は、必要に応じて一時的に表示輝度を自動調整輝度から手動若しくは表示内容に即した所望の最適輝度に切り替えることのできる、操作性並びに機能性に優れた使い勝手のよい輝度調整機構を備えた情報処理装置および表示輝度制御方法を提供することを課題とする。【解決手段】ＣＰＵ１１は、メモリ１３内の輝度自動調整フラグ（Ｆａ）の値に従い、輝度自動調整データ（Ｂ）または輝度手動調整データ（ＢＣＯＮＴ）を輝度設定データ（Ｃ）として輝度制御部１２ａに設定する。【選択図】    図２
2004233845.tif 000002
【特許請求の範囲】
【請求項１】
表示輝度を制御可能な表示デバイスと、
前記表示デバイスの表示輝度を周囲の環境に応じて制御する輝度調整手段と、
操作入力を受け付ける入力手段と、
前記輝度調整手段による前記表示デバイスの輝度制御を他の輝度調整手段による輝度制御に切り替える制御手段とを具備し、
前記制御手段は、前記入力手段が所定の操作を受け付けた際に、前記表示デバイスの輝度制御を一時的に前記輝度調整手段による輝度制御から前記入力手段が受け付けた操作指示に従う輝度制御に切り替えることを特徴とする情報処理装置。
【請求項２】
前記制御手段は、予め設定されたアプリケーションプログラムの起動を検知する検知手段を具備し、前記検知手段で前記アプリケーションプログラムの起動を検知した際に、前記表示デバイスの輝度制御を前記輝度調整手段による輝度制御から前記アプリケーションプログラムに固有の輝度制御に切り替える請求項１記載の情報処理装置。
【請求項３】
前記制御手段は、前記入力手段から所定の操作入力を受け付けて、前記表示デバイスの輝度制御を前記輝度調整手段による輝度制御から前記入力手段の操作入力指示に従う輝度制御に切り替えた後、再度前記入力手段から所定の操作入力を受け付けた際、前記表示デバイスの輝度制御を前記輝度調整手段による輝度制御に復帰させる手段を具備する請求項１記載の情報処理装置。
【請求項４】
前記制御手段は、前記入力手段から所定の操作入力を受け付けて、前記表示デバイスの輝度制御を前記輝度調整手段による輝度制御から前記入力手段の操作入力指示に従う輝度制御に切り替えた後、前記入力手段から予め設定された特定の操作入力を受け付けた際、前記表示デバイスの輝度制御を前記輝度調整手段による輝度制御に復帰させる手段を具備する請求項１記載の情報処理装置。
【請求項５】
前記制御手段は、前記入力手段から所定の操作入力を受け付けて、前記表示デバイスの輝度制御を前記輝度調整手段による輝度制御から前記入力手段の操作入力指示に従う輝度制御に切り替えた後、一定時間が経過した際に、前記表示デバイスの輝度制御を前記輝度調整手段による輝度制御に復帰させる手段を具備する請求項１記載の情報処理装置。
【請求項６】
前記制御手段は、前記表示デバイスの輝度制御を前記輝度調整手段による輝度制御から前記キーボードの操作入力指示に従う輝度制御に切り替えた後、システム動作に係わる所定の状態遷移があった際に、前記表示デバイスの輝度制御を前記輝度調整手段による輝度制御に復帰させる手段を具備する請求項１記載の情報処理装置。
【請求項７】
前記制御手段は、前記アプリケーションプログラムに対して設定された輝度情報を保持する保持手段を具備し、前記アプリケーションプログラムの起動を検知した際に、前記表示デバイスの輝度制御を前記輝度調整手段による輝度制御から前記保持手段に保持された輝度情報に従う輝度制御に切り替える手段を具備する請求項２記載の情報処理装置。
【請求項８】
前記制御手段は、前記アプリケーションプログラムから輝度情報を取得する情報取得手段を具備し、前記情報取得手段が前記アプリケーションプログラムから輝度情報を取得した際に、前記表示デバイスの輝度制御を前記輝度調整手段による輝度制御から前記情報取得手段が取得した輝度情報に従う輝度制御に切り替える手段を具備する請求項２記載の情報処理装置。
【請求項９】
前記制御手段は、前記アプリケーションプログラムの終了を検知する検知手段を具備し、前記検知手段がアプリケーションプログラムの終了を検知した際に、前記表示デバイスの輝度制御を前記輝度調整手段による輝度制御に復帰させる手段を具備する請求項２記載の情報処理装置。
【請求項１０】
前記制御手段は、前記アプリケーションプログラムの指示に従い、前記表示デバイスの輝度制御を前記輝度調整手段による輝度制御に復帰させる手段を具備する請求項２記載の情報処理装置。
【請求項１１】
キーボードと、表示輝度を制御可能な表示装置とを具備した情報処理装置の表示輝度制御方法であって、前記表示装置の表示輝度を周囲の環境に応じて制御している際に、前記キーボードの所定のキーが操作されたとき、前記表示装置の輝度制御を一時的に前記キーボードの操作入力に従う輝度制御に切り替えることを特徴とする表示輝度制御方法。
【請求項１２】
表示輝度を制御可能な表示装置を具備した情報処理装置の表示輝度制御方法であって、前記表示装置の表示輝度を周囲の環境に応じて制御している際に、所定のアプリケーションプログラムが起動されたとき、前記表示装置の輝度制御を前記アプリケーションプログラムに対して予め設定した輝度制御に切り替えることを特徴とする表示輝度制御方法。
【請求項１３】
表示輝度を制御可能な表示装置を具備した情報処理装置の表示輝度制御方法であって、前記表示装置の表示輝度を周囲の環境に応じて制御している際に、所定のアプリケーションプログラムが起動されたとき、前記表示装置の輝度制御を前記アプリケーションプログラムの指示に従う輝度制御に切り替えることを特徴とする表示輝度制御方法。
【発明の詳細な説明】
【０００１】
【発明の属する技術分野】
本発明は、表示輝度を制御可能な表示デバイスを有する情報処理装置および表示輝度制御方法に関する。
【０００２】
【従来の技術】
従来、表示輝度を制御可能な表示デバイス（例えばＬＣＤ）を有する情報処理装置に於いては、周辺の照度に応じてＬＣＤのバックライトを最適輝度に自動調整する輝度自動調整機構を備えた機種が存在する（例えば、特許文献１参照）。また上記輝度自動調整機構をもたない機種に於いては、上記ＬＣＤのバックライトを特定のキー操作により調整する輝度手動調整機構を備えた機種が存在する。
【０００３】
上記した情報処理装置のうち、輝度自動調整機構を備えた機種に於いては、通常使用時に表示輝度が周囲の明るさにより自動調整されることから通常使用時の使い勝手はよいが、表示する情報、使用形態等に応じて、表示輝度を大幅に変化させたい際に、精々微調整が行える程度で、所望する表示輝度を簡単かつ容易に設定することができないという問題があった。また、輝度手動調整機構を備えた機種に於いては、表示する情報、使用形態等に応じて、表示輝度を大幅に変化させたい際に、キー操作で簡単かつ容易に所望の表示輝度に設定できるが、通常使用に於いては、周囲の明るさ等に応じて、その都度表示輝度を調整しなければならないことから、通常使用時の使い勝手が悪いという問題があった。
【０００４】
【特許文献１】
特開平１０−２２８０１０号公報
【０００５】
【発明が解決しようとする課題】
上述したように、表示輝度を制御可能な表示デバイスを有する従来の情報処理装置に於いては、それぞれの輝度調整機構に於いて、使い勝手の面で問題があった。
【０００６】
本発明は上記実情に鑑みなされたもので、ことを目的とする。
【０００７】
【課題を解決するための手段】
本発明は、表示輝度を制御可能な表示デバイスと、前記表示デバイスの表示輝度を周囲の環境に応じて制御する輝度調整手段とを具備する情報処理装置に於いて、前記輝度調整手段による前記表示デバイスの輝度制御を他の輝度調整手段による輝度制御に切り替える制御手段を具備し、必要に応じて一時的に表示輝度を自動調整輝度から手動若しくは表示内容に即した所望の最適輝度に切り替えることのできるようにしたことを特徴とする。
【０００８】
また、前記制御手段に、キーボードの操作入力を受け付ける手段を具備し、前記キーボードから所定のキー入力を受け付けた際に、前記表示デバイスの輝度制御を一時的に前記輝度調整手段による輝度制御から前記キーボードの操作入力指示に従う輝度制御に切り替えることで、必要に応じて一時的に表示輝度を所望の最適輝度に容易かつ迅速に設定でき、例えばモバイルコンピューティング等に適用することで操作性並びに視認性を大幅に向上できる。
【０００９】
また、前記制御手段に、予め設定されたアプリケーションプログラムの起動を検知する検知手段を具備し、前記検知手段で前記アプリケーションプログラムの起動を検知した際に、前記表示デバイスの輝度制御を前記輝度調整手段による輝度制御から前記アプリケーションプログラムに固有の輝度制御に切り替えることで、各種のアプリケーションプログラムに於いてアプリケーションプログラム個々に最適な表示輝度を設定することができる。
【００１０】
さらに、前記制御手段に、前記アプリケーションプログラムから輝度情報を取得する情報取得手段を具備し、前記情報取得手段が前記アプリケーションプログラムから輝度情報を取得した際に、前記表示デバイスの輝度制御を前記輝度調整手段による輝度制御から前記情報取得手段が取得した輝度情報に従う輝度制御に切り替えることで、アプリケーションプログラム個々の中で、任意の場面、任意の画像毎に、最適表示輝度をプログラム設定により指定でき、これによりプレゼンテーション効果等をより高めることができる。
【００１１】
また、本発明は、キーボードと、表示輝度を制御可能な表示装置とを具備した情報処理装置の表示輝度制御方法であって、前記表示装置の表示輝度を周囲の環境に応じて制御している際に、前記キーボードの所定のキーが操作されたとき、前記表示装置の輝度制御を一時的に前記キーボードの操作入力に従う輝度制御に切り替えることを特徴とするもので、これにより、例えばモバイルコンピューティング等に於いて、機器使用環境の変化に応じた最適表示輝度の設定を容易かつ迅速に行うことができ、操作性並びに視認性を大幅に向上できる。
【００１２】
また、本発明は、表示輝度を制御可能な表示装置を具備した情報処理装置の表示輝度制御方法であって、前記表示装置の表示輝度を周囲の環境に応じて制御している際に、所定のアプリケーションプログラムが起動されたとき、前記表示装置の輝度制御を前記アプリケーションプログラムに対して予め設定した輝度制御に切り替えることを特徴とするもので、これにより、各種のアプリケーションプログラムに於いてアプリケーションプログラム個々に最適な表示輝度を設定することができる。
【００１３】
また、本発明は、表示輝度を制御可能な表示装置を具備した情報処理装置の表示輝度制御方法であって、前記表示装置の表示輝度を周囲の環境に応じて制御している際に、所定のアプリケーションプログラムが起動されたとき、前記表示装置の輝度制御を前記アプリケーションプログラムの指示に従う輝度制御に切り替えることを特徴とするもので、これにより、アプリケーションプログラム個々の中で、任意の場面、任意の画像毎に、最適表示輝度をプログラム設定により指定できる。
【００１４】
【発明の実施の形態】
以下、図面を参照して本発明の実施形態を説明する。
【００１５】
先ず、図１乃至図６を参照して本発明の第１実施形態を説明する。この第１実施形態では、キーボード２０上の所定のキー入力操作に伴い、表示デバイス１２１の輝度制御を、自動調整による輝度制御からキーボード２０の操作入力指示に従う手動調整による輝度制御に切り替えて、キー操作による一時的な手動輝度制御を可能にする機能を実現している。
【００１６】
図１に本発明の実施形態による情報処理装置の構成を示す。ここではバッテリ駆動可能なノートブックタイプの携帯型パーソナルコンピュータを例に、そのコンピュータシステムの構成を示している。
【００１７】
このコンピューターシステムには、図示するように、ＣＰＵ１１、グラフィック・メモリコントローラハブ１２、メモリ（主記憶）１３、グラフィックスコントローラ１４、ＶＲＡＭ１４１、Ｉ／Ｏハブ１５、ＢＩＯＳ−ＲＯＭ１６、ハードディスクドライブ（ＨＤＤ）１７、サウンドコントローラ１８、キーボード・エンベッテッドコントローラ（ＥＣ／ＫＢＣ）１９、キーボード２０、照度検出部２１、表示デバイス（ＤＩＳＰ）１２１等を備えている。さらにメモリ１３には、輝度制御プログラム（ＢＣＰ）１３１、および輝度管理テーブル（Ｂ−ＴＢＬ）１３２を含む各種のプログラムが格納される。
【００１８】
グラフィックスコントローラ１４は、ＣＰＵ１１が実行するオペレーティングシステム（ＯＳ）の制御の下に、表示デバイス１２１を表示駆動制御するとともに、図示しないＣＲＴ端子、ＤＶＩ端子、ＴＶ端子等、各種外部ディスプレイの接続インタフェースを介して接続された外部表示デバイスを表示駆動制御する。
【００１９】
照度検出部２１は、照度センサー２１１を備え、使用環境下での明るさ、即ち装置周囲の照度を検出し、その検出データをキーボード・エンベッテッドコントローラ１９に送出する。
【００２０】
キーボード・エンベッテッドコントローラ１９は、ＣＰＵ１１が実行する輝度制御プログラム（ＢＣＰ）１３１の制御の下に、照度検出部２１より照度検出データを取得し、当該取得した照度検出データをＣＰＵ１１に送出するとともにＣＰＵ１１より受けた輝度自動調整データを表示デバイス１２１の輝度制御部に設定する。
【００２１】
さらにキーボード・エンベッテッドコントローラ（ＥＣ）１９は、ＣＰＵ１１が実行する輝度制御プログラム（ＢＣＰ）１３１の制御の下に、キーボード２０上で表示デバイス１２１の表示輝度を制御するキー操作が行われた際に、そのキー操作に伴う輝度手動調整データ（ＢＣＯＮＴ）を表示デバイス１２１の輝度制御部に設定する。この際の表示輝度を制御するキーの具体例については図３を参照して後述する。また表示デバイス１２１の輝度制御部については図２を参照して後述する。
【００２２】
ＣＰＵ１１は、本コンピュータの動作を制御するために設けられたもので、ハードディスクドライブ１７から主メモリ１３にロードされたオペレーティングシステム、およびアプリケーションプログラム、ユーティリティプログラム等に従い各種の処理を実行する。この実施形態では、輝度制御プログラム（ＢＣＰ）１３１に従い図４乃至図６に示す輝度調整の処理を実行する。また、キーボード・エンベッテッドコントローラ（ＥＣ／ＫＢＣ）１９からキーボード２０のキー操作に伴う指示コマンドを受け、その指示コマンドに従う処理を実行する。
【００２３】
図２に上記実施形態に於けるコンピュータシステムの要部の構成を示す。
表示デバイス１２１は、図２に示すように、表示パネルとして用いたＬＣＤ（Ｌｉｑｕｉｄ  Ｃｒｙｓｔａｌ  Ｄｉｓｐｌａｙ）１２ｃと、その表示パネルのバックライトとして用いたＦＬ管１２ｂと、バックライトの照度をコントロールするＦＬインバータを備えた輝度制御部１２ａとを有して構成される。
【００２４】
ＣＰＵ１１は、メモリ１３に格納された輝度制御プログラム（ＢＣＰ）１３１に従う輝度調整処理を実行する。この際の処理手順は後述する図４乃至図６のフローチャートに示されている。ＣＰＵ１１は、上記輝度調整処理に於いて、メモリ１３に設けられた表示制御に関するフラグレジスタに含まれる輝度自動調整フラグ（Ｆａ）の値に従い、輝度自動調整データ（Ｂ）または輝度手動調整データ（ＢＣＯＮＴ）を輝度設定データ（Ｃ）として輝度制御部１２ａに設定する。ここでは、輝度自動調整フラグ（Ｆａ）の値が“１”であるとき、輝度自動調整データ（Ｂ）を輝度制御部１２ａに設定し、輝度自動調整フラグ（Ｆａ）が“０”であるとき、輝度手動調整データ（ＢＣＯＮＴ）を輝度制御部１２ａに設定する。ＣＰＵ１１は輝度自動調整フラグ（Ｆａ）の値が“１”であるとき、キーボード・エンベッテッドコントローラ１９を介して照度検出部２１より照度検出データ（Ａ）を取得し、その値と設定値とをもとに現在の使用環境に最適な輝度値を決定し、その輝度値をもつ輝度自動調整データ（Ｂ）を輝度設定データ（Ｃ）として輝度制御部１２ａに設定する。
【００２５】
図３に上記実施形態に於ける情報処理装置の外観構成および輝度制御を行うキー配置の例を示す。ここでは、ノートブック型のパーソナルコンピュータを例に示している。この図３に示す、本発明の実施形態によるコンピュータ１００は、コンピュータ本体１１０と、ディスプレイユニット（表示部筐体）１２０とから構成されている。ディスプレイユニット１２０には、ＬＣＤを用いた表示装置が表示デバイス１２１として組み込まれている。この表示デバイス１２１を組み込んだディスプレイユニット１２０は、コンピュータ本体１１０に対して解放位置と閉塞位置との間を回動自在に取り付けられている。
【００２６】
コンピュータ本体１１０は薄い箱形の筐体を有しており、その筐体上面には、キーボード２０が配置され、キーボード２０の手前の筐体部分上面にはアームレストが形成されている。このアームレストのほぼ中央部には、タッチパネル１１２が設けられる。
【００２７】
上記ディスプレイユニット（表示部筐体）１２０には、筐体前面に、周囲の明るさ（光の強さ）を感知する照度センサー２１１，２１１が設けられる。この照度センサー２１１，２１１で感知した照度検知信号は、照度検出部２１より照度検出データとしてキーボード・エンベッテッドコントローラ１９に送出される。
【００２８】
また、上記キーボード２０には、表示デバイス１２１の表示輝度を手動で調整するための操作キーが設けられている。この実施形態では、手動輝度調整の指示を「Ｆｎ」キーと「Ｆ５」キーとの組合せキー操作で行い、輝度ダウン操作を「Ｆ６」キーで行い、輝度アップ操作を「Ｆ７」キーで行い、自動輝度調整への復帰の指示を「Ｆ８」キーで行うものとする。
【００２９】
図４乃至図６に本発明の第１実施形態に於ける処理の手順を示している。この処理はＣＰＵ１１が輝度制御プログラム（ＢＣＰ）１３１の処理を実行することにより実現される。ここでは、図４のステップＳ１０に示す「センサー処理」で図５に示す自動輝度調整の処理が実行され、ステップＳ２０に示す「輝度調整操作」で図６に示す手動輝度調整の処理が実行される。
【００３０】
ここで、上記図１乃至図６を参照して本発明の第１実施形態に於ける動作を説明する。
【００３１】
システム起動時は、輝度自動調整フラグ（Ｆａ）がデフォルト値（“１”）に設定される（図４ステップＳ１）。ＣＰＵ１１は、表示デバイス１２１の表示制御処理に於いて、メモリ１３に格納された輝度制御プログラム（ＢＣＰ）１３１に従う輝度調整処理を実行する。
【００３２】
この処理では、先ずメモリ１３内の表示制御用フラグレジスタに含まれる輝度自動調整フラグ（Ｆａ）の値を読み込み、その値をもとに、現在、自動輝度調整が有効であるか否かを判断する（図４ステップＳ２）。
【００３３】
ここで、上記輝度自動調整フラグ（Ｆａ）の値が“１”であれば、自動輝度調整が有効であると判断して、自動輝度調整の処理を行う（図４ステップＳ１０）。この処理では、照度検出部２１から照度検出データ（Ａ）を取得し（図５ステップＳ１１）、その取得した照度検出データ（Ａ）と設定値とを比較して現在の使用環境に最適な輝度値を決定し（図５ステップＳ１２）、その輝度値をもつ輝度自動調整データ（Ｂ）を輝度設定データ（Ｃ）として輝度制御部１２ａに設定する（図５ステップＳ１３）。輝度制御部１２ａはこの輝度設定データの輝度値に従うバックライト照度となるようにＦＬ管１２ｂを点灯駆動制御する。
【００３４】
このように、通常の使用時に於いては、表示デバイス１２１の表示輝度が周囲の明るさに応じた最適な表示輝度に調整される。この自動輝度調整の状態にあるとき、キーボード２０のキー操作（ここでは「Ｆｎ」キーと「Ｆ５」キーとの組合せキー操作）で手動輝度調整が指示されると（図４ステップＳ３）、表示デバイス１２１の表示輝度調整処理が自動輝度調整の処理から手動輝度調整の処理に切り替わり、自動輝度調整の処理に代わって、キーボード２０上のキー操作による手動輝度調整の機能が有効となる（図４ステップＳ２０）。
【００３５】
この処理では、輝度自動調整データ（Ｂ）に代わって、キーボード２０のキー操作に伴う輝度手動調整データ（ＢＣＯＮＴ）が輝度設定データ（Ｃ）として輝度制御部１２ａに設定される。この際は、キーボード２０上の輝度アップの指示キー（ここでは「Ｆ７」キー）、または輝度ダウンの指示キー（ここでは「Ｆ６」キー）を操作すると（図６ステップＳ２１，Ｓ２３）輝度自動調整フラグ（Ｆａ）が手動輝度調整の機能を有効にする“０”に設定され（図６ステップＳ２５）、キーボード２０上の輝度アップの指示キーが１回操作されると（図６ステップＳ２１）、輝度が１レベル上がり（図６ステップＳ２２）、輝度ダウンの指示キーが１回操作されると（図６ステップＳ２３）、輝度が１レベルが下がる（図６ステップＳ２４）処理が行われる。
【００３６】
このような単純なキー操作で容易かつ迅速に表示デバイス１２１を所望の表示輝度に設定できることから、例えばモバイルコンピューティングの際に使用場所の明るさが急変した場合等に於いても、表示デバイス１２１の表示輝度を常に最適輝度に調整することができる。
【００３７】
手動輝度調整の機能を終了する際は、キーボード２０上の自動輝度調整への復帰指示キー（ここでは「Ｆ８」キー）を操作する（図６ステップＳ２６）。
【００３８】
このキー操作に伴い輝度自動調整フラグ（Ｆａ）が“１”に復帰して（図６ステップＳ２７）、再び上述したような自動輝度調整の処理が有効に機能する。
【００３９】
このように、上記した第１実施形態では、キーボード２０から所定のキー入力を受け付けた際に、表示デバイス１２１の輝度制御を一時的に自動輝度調整による輝度制御からキーボード２０の操作入力指示に従う手動輝度調整による輝度制御に切り替えることで、必要に応じて一時的に表示デバイス１２１の表示輝度を所望の最適輝度に容易かつ迅速に設定でき、例えばモバイルコンピューティング等に適用することで操作性並びに視認性を大幅に向上させることができる。
【００４０】
次に、図１、図２に示す装置構成と、図７乃至図９を参照して本発明の第２実施形態を説明する。この第２実施形態では、予め設定されたアプリケーションプログラムの起動を検知した際に、表示デバイス１２１の輝度制御を自動輝度調整による輝度制御から、上記起動したアプリケーションプログラムに固有の設定輝度制御に切り替えることで、各種のアプリケーションプログラムに於いてアプリケーションプログラム個々に最適な表示輝度を設定することを可能にしている。更にはこの第２実施形態の機能を上述した第１実施形態の機能と併せ持つことで、機能性をより向上できる。
【００４１】
上記図１および図２に示すように、メモリ１３には、輝度管理テーブル（Ｂ−ＴＢＬ）１３２が設けられる。この輝度管理テーブル（Ｂ−ＴＢＬ）１３２は、図７に示すように、表示デバイス１２１を用いる任意のアプリケーションプログラムについて、アプリケーションプログラム個々に、輝度レベルを設定しておくことで、その設定されたアプリケーションプログラムが起動した際に、そのアプリケーションプログラムに設定した最適表示輝度で当該アプリケーションの表示処理が行われる。
【００４２】
図８には本発明の第２実施形態による処理の手順が示されている。図９には図８に示す「輝度設定」の処理手順が示されている。この処理はＣＰＵ１１か輝度制御プログラム（ＢＣＰ）１３１の処理を実行することで実現される。尚、図８に示す「センサー処理」の処理手順は上述した第１実施形態の図５に示す処理手順と同様であるので、ここではその処理についての説明を省略する。
【００４３】
ここで上記各図を参照して本発明の第２実施形態に於ける動作を説明する。
【００４４】
システム起動時は、輝度自動調整フラグ（Ｆａ）がデフォルト値（“１”）に設定される（図８ステップＳ３１）。ＣＰＵ１１は、表示デバイス１２１の表示制御処理に於いて、メモリ１３に格納された輝度制御プログラム（ＢＣＰ）１３１に従う輝度調整処理を実行する。
【００４５】
この処理では、先ずメモリ１３内の表示制御用フラグレジスタに含まれる輝度自動調整フラグ（Ｆａ）の値を読み込み、その値をもとに、現在、自動輝度調整が有効であるか否かを判断する（図８ステップＳ３２）。
【００４６】
ここで、上記輝度自動調整フラグ（Ｆａ）の値が“１”であれば、自動輝度調整が有効であると判断して、自動輝度調整の処理を行う（図８ステップＳ４０）。この処理では、照度検出部２１から照度検出データ（Ａ）を取得し、その取得した照度検出データ（Ａ）と設定値とを比較して現在の使用環境に最適な輝度値を決定し、その輝度値をもつ輝度自動調整データ（Ｂ）を輝度設定データ（Ｃ）として輝度制御部１２ａに設定する。輝度制御部１２ａはこの輝度設定データの輝度値に従うバックライト照度となるようにＦＬ管１２ｂを点灯駆動制御する。
【００４７】
このように、通常の使用時に於いては、表示デバイス１２１の表示輝度が周囲の明るさに応じた最適な表示輝度に調整される。
【００４８】
この自動輝度調整の状態にあるとき、あるアプリケーションプログラムが起動すると（図８ステップＳ３３）、輝度管理テーブル（Ｂ−ＴＢＬ）１３２を参照して、その起動したアプリケーションプログラムが輝度管理テーブル（Ｂ−ＴＢＬ）１３２に設定されたアプリケーションプログラムであるか否かを調べ（図８ステップＳ３４）、輝度管理テーブル（Ｂ−ＴＢＬ）１３２に設定されたアプリケーションプログラムであれば（図８ステップＳ３４  ＹＥＳ）、輝度管理テーブル（Ｂ−ＴＢＬ）１３２の設定に従う輝度設定の処理を行う（図８ステップＳ５０）。
【００４９】
この輝度設定処理では、輝度管理テーブル（Ｂ−ＴＢＬ）１３２を参照して上記起動したアプリケーションに設定された輝度レベルを取得し（図９ステップＳ５１）、その輝度レベルの値をもつ輝度設定データ（Ｃ）を輝度制御部１２ａに設定する（図９ステップＳ５２）。
【００５０】
これにより、表示デバイス１２１には起動したアプリケーションプログラムに最適な表示輝度で当該アプリケーションプログラムの画像表示が行われる。
【００５１】
上記アプリケーションプログラムが終了すると（図９ステップＳ５３  ＹＥＳ）、輝度自動調整フラグ（Ｆａ）が“１”に復帰して（図９ステップＳ５４）、再び上述した自動輝度調整の処理が有効に機能する。
【００５２】
このように、予め設定されたアプリケーションプログラムの起動を検知した際に、表示デバイス１２１の輝度制御を自動輝度調整による輝度制御から、上記起動したアプリケーションプログラムに固有の設定輝度制御に切り替えることで、各種のアプリケーションプログラムに於いて各々に最適な表示輝度で画像を表示できる。
【００５３】
上記した第２実施形態は、アプリケーションプログラムを単位に、それぞれ表示輝度を最適化する機能であったが、さらに、加えて、アプリケーションプログラムの中で、任意の画像について、それぞれ表示輝度を設定することも可能である。この際は、プログラムの指示に従う輝度レベルを上記各実施形態と同様に輝度設定データ（Ｃ）として輝度制御部１２ａに設定することで実現される。このような表示輝度制御機能をもつことで、アプリケーションプログラム個々の中で、任意の場面、任意の画像毎に、最適表示輝度をプログラム設定により指定でき、これによりプレゼンテーション効果等をより高めることができる。
【００５４】
【発明の効果】
以上詳記したように本発明によれば、必要に応じて一時的に表示輝度を自動調整輝度から手動若しくは表示内容に即した所望の最適輝度に切り替えることのでき、これにより操作性並びに機能性に優れた使い勝手のよい輝度調整機構を備えた情報処理装置が実現できる。
【図面の簡単な説明】
【図１】本発明の第１および第２実施形態に於ける情報処理装置の構成を示すブロック図。
【図２】本発明の第１および第２実施形態に於ける主要部の構成を示すブロック図。
【図３】本発明の第１実施形態に於ける情報処理装置の外観構成例および輝度制御を行うキー配置の例を示す図。
【図４】本発明の第１実施形態に於ける処理の手順をを示すフローチャート。
【図５】本発明の第１実施形態に於ける処理の手順をを示すフローチャート。
【図６】本発明の第１実施形態に於ける処理の手順をを示すフローチャート。
【図７】本発明の第２実施形態に於ける輝度管理テーブルの一構成例を示す図。
【図８】本発明の第２実施形態に於ける処理の手順を示すフローチャート。
【図９】本発明の第２実施形態に於ける処理の手順を示すフローチャート。
【符号の説明】
１１…ＣＰＵ、１２…グラフィック・メモリコントローラハブ、１３…メモリ、１４…グラフィックスコントローラ、１５…Ｉ／Ｏハブ、１６…ＢＩＯＳ−ＲＯＭ、１７…ハードディスクドライブ（ＨＤＤ）、１８…サウンドコントローラ、１９…エンベッテッドコントローラ（ＥＣ）、２０…キーボード、１００…コンピュータ、１１０…コンピュータ本体、１１２…タッチパネル、１２０…ディスプレイユニット（表示部筐体）、１２１…表示デバイス（ＤＩＳＰ）、１２ａ…輝度制御部（ＦＬインバータ）、１２ｂ…ＦＬ管（バックライト）、１２ｃ…ＬＣＤ、１３１…輝度制御プログラム（ＢＣＰ）、１３２…輝度管理テーブル（Ｂ−ＴＢＬ）、２１１…照度センサー。
【図１】
2004233845.tif 000003
【図２】
2004233845.tif 000004
【図３】
2004233845.tif 000005
【図４】
2004233845.tif 000006
【図５】
2004233845.tif 000007
【図６】
2004233845.tif 000008
【図７】
2004233845.tif 000009
【図８】
2004233845.tif 000010
【図９】
2004233845.tif 000011
【手続補正書】
【提出日】平成15年3月4日(2003.3.4)
【手続補正１】
【補正対象書類名】明細書
【補正対象項目名】０００６
【補正方法】変更
【補正の内容】
【０００６】
本発明は上記実情に鑑みなされたもので、操作性並びに機能性に優れた使い勝手のよい輝度調整機構を実現できる情報処理装置および表示輝度制御方法を提供することを目的とする。